(57)【要約】データ送信方法、データ受信方法、データ送信装置及びデータ受信装置を提供する。前記データ送信方法は、第一の変調方式でデータを変調して第一のシンボルストリームを生成する工程と、前記第一のシンボルストリームを第一の変調方式より低い変調次数を有する変調方式で変調される所定数の第二のシンボルストリームに分解する工程と、前記所定数の第二のシンボルストリームに対して処理を行って符号分割多重のデータストリームを生成する工程と、符号分割多重のデータストリームに対して処理を行って処理後のデータストリームを送信する工程とを含む。前記方法及び装置を利用すれば、データ送信の信頼性を向上させることができる。
2018524847.tif 000002
【特許請求の範囲】
【請求項１】
第一の変調方式でデータを変調して第一のシンボルストリームを生成する工程と、
前記第一のシンボルストリームを、それぞれ第一の変調方式より低い変調次数を有する変調方式で変調される所定数の第二のシンボルストリームに分解する工程と、
前記所定数の第二のシンボルストリームに対して処理を行って符号分割多重されたデータストリームを生成する工程と、
符号分割多重されたデータストリームに対して処理を行って、処理後のデータストリームを送信する工程と、
を含む、データ送信方法。
【請求項２】
前記所定数の第二のシンボルストリームに対して処理を行って符号分割多重されたデータストリームを生成する工程は、
前記所定数の第二のシンボルストリームに対して符号分割多重を行って前記符号分割多重されたデータストリームを生成する工程を含む、請求項１に記載のデータ送信方法。
【請求項３】
前記所定数の第二のシンボルストリームに対して処理を行って符号分割多重されたデータストリームを生成する工程は、
前記所定数の第二のシンボルストリームを、それぞれ所定ユニット単位で所定回数分繰返して、所定数の繰返しシンボルストリームを生成する工程と、
前記所定数の繰返しシンボルストリームに対して符号分割多重を行って前記符号分割多重されたデータストリームを生成する工程と、
を含む、請求項１に記載のデータ送信方法。
【請求項４】
前記所定ユニットはシンボル又はサブフレームである、請求項３に記載のデータ送信方法。
【請求項５】
無線リソース制御シグナリングによって前記所定回数を指示する情報を受信する工程をさらに含む、請求項３又は４に記載のデータ送信方法。
【請求項６】
符号分割多重を行うことを指示する情報を下りリンク制御チャネルにより受信し、前記所定数を指示する情報を無線リソース制御シグナリングにより受信する工程をさらに含む、請求項１ないし５のいずれか一項に記載のデータ送信方法。
【請求項７】
データを受信し、受信された前記データに対して処理を行って、符号分割多重されたデータストリームを取得する工程と、
前記符号分割多重されたデータストリームに対して処理を行って所定数の第一のシンボルストリームを生成する工程と、
前記所定数の第一のシンボルストリームを組合せて、各第一のシンボルストリームの変調方式より高い変調次数を有する変調方式で変調される第二のシンボルストリームになる工程と、
前記第二のシンボルストリームを復調して、復調されたデータストリームを生成する工程と、
を含む、データ受信方法。
【請求項８】
前記符号分割多重されたデータストリームに対して処理を行って所定数の第一のシンボルストリームを生成する工程は、
前記符号分割多重されたデータストリームに対して逆多重化を行って、前記所定数の第一のシンボルストリームとして、所定数の逆多重化データストリームを生成する工程を含む、請求項７に記載のデータ受信方法。
【請求項９】
前記符号分割多重されたデータストリームに対して処理を行って所定数の第一のシンボルストリームを生成する工程は、
前記符号分割多重されたデータストリームに対して逆多重化を行って、所定数の逆多重化データストリームを生成する工程と、
それぞれ前記所定数の逆多重化データストリームから、前記所定数の第一のシンボルストリームとして、所定ユニットとして所定回数分繰返されたシンボルストリームを抽出する工程と、
を含む、請求項７に記載のデータ受信方法。
【請求項１０】
前記所定ユニットはシンボル又はサブフレームである、請求項９に記載のデータ受信方法。
【請求項１１】
前記所定回数を指示する情報を無線リソース制御シグナリングにより受信する工程をさらに含む、請求項９又は１０に記載のデータ受信方法。
【請求項１２】
物理下りリンク制御チャネルにより、符号分割多重を行ったことを指示する情報を受信し、かつ無線リソース制御シグナリングにより前記所定数を指示する情報を受信する工程をさらに含む、請求項７ないし１１のいずれか一項に記載のデータ受信方法。
【請求項１３】
第一の変調方式でデータを変調して第一のシンボルストリームを生成するように配置される変調装置と、
前記第一のシンボルストリームを、それぞれ第一の変調方式より低い変調次数を有する変調方式で変調される所定数の第二のシンボルストリームに分解するように配置される分解装置と、
前記所定数の第二のシンボルストリームに対して処理を行って符号分割多重されたデータストリームを生成するように配置される処理装置と、
符号分割多重されたデータストリームに対して処理を行って、処理後のデータストリームを送信するように配置される通信装置と、
を備える、データ送信装置。
【請求項１４】
前記処理装置は、前記所定数の第二のシンボルストリーム対して符号分割多重を行って前記符号分割多重されたデータストリームを生成するように配置される、請求項１３に記載のデータ送信装置。
【請求項１５】
前記処理装置は、前記所定数の第二のシンボルストリームをそれぞれ所定ユニット単位で所定回数分繰返して所定数の繰返しシンボルストリームを生成し、かつ前記所定数の繰返しシンボルストリームに対して符号分割多重を行って前記符号分割多重されたデータストリームを生成するように配置される、請求項１３に記載のデータ送信装置。
【請求項１６】
前記所定ユニットはシンボル又はサブフレームである、請求項１５に記載のデータ送信装置。
【請求項１７】
前記通信装置は、さらに無線リソース制御シグナリングにより前記所定回数を指示する情報を受信するように配置される、請求項１５または１６に記載のデータ送信装置。
【請求項１８】
前記通信装置は、符号分割多重を行うことを指示する情報を下りリンク制御チャネルにより受信し、かつ無線リソース制御シグナリングにより前記所定数を指示する情報を受信するように配置される、請求項１３ないし１７のいずれか一項に記載のデータ送信装置。
【請求項１９】
データを受信し、受信された前記データに対して処理を行って、符号分割多重されたデータストリームを取得するように配置される通信装置と、
前記符号分割多重されたデータストリームに対して処理を行って所定数の第一のシンボルストリームを生成するように配置される処理装置と、
前記所定数の第一のシンボルストリームを組合せて、各第一のシンボルストリームの変調方式より高い変調次数を有する変調方式で変調される第二のシンボルストリームになるように配置される組合せ装置と、
前記第二のシンボルストリームを復調して、復調されたデータストリームを生成するように配置される復調装置と、
を備える、データ受信装置。
【請求項２０】
前記処理装置は、前記符号分割多重されたデータストリームに対して逆多重化を行って、前記所定数の第一のシンボルストリームとして、所定数の逆多重化データストリームを生成するように配置される、請求項１９に記載のデータ受信装置。
【請求項２１】
前記処理装置は、前記符号分割多重されたデータストリームに対して逆多重化を行って所定数の逆多重化データストリームを生成し、それぞれ前記所定数の逆多重化データストリームから、前記所定数の第一のシンボルストリームとして、所定ユニットとして所定回数分繰返されたシンボルストリームを抽出するように配置される、請求項１９に記載のデータ受信装置。
【請求項２２】
前記所定ユニットはシンボル又はサブフレームである、請求項２１に記載のデータ受信装置。
【請求項２３】
前記通信装置は、さらに無線リソース制御シグナリングにより前記所定回数を指示する情報を受信するように配置される、請求項２１又は２２に記載のデータ受信装置。
【請求項２４】
前記通信装置は、物理下りリンク制御チャネルにより符号分割多重を行ったことを指示する情報を受信し、無線リソース制御シグナリングにより前記所定数を指示する情報を受信するように配置される、請求項１９ないし２３のいずれか一項に記載のデータ受信装置。
【発明の詳細な説明】
【技術分野】
【０００１】
本発明は無線通信分野に関し、具体的には、無線通信システム（特にマシンタイプ通信（ＭＴＣ）システム）において使用されるデータ送信方法及びデータ受信方法、並びにデータ送信装置及びデータ受信装置に関する。
【背景技術】
【０００２】
マシンタイプ通信（ＭＴＣ）は、無線ネットワークを介してデータ伝送を行うマシンツーマシン（Ｍ２Ｍ）通信技術であり、スマートグリッド、知的交通（ｉｎｔｅｌｌｉｇｅｎｔ  ｔｒａｆｆｉｃ）などの分野に適用できる。３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）では、ＭＴＣについて検討・規格化されている。
【０００３】
ＭＴＣについて、カバレッジエンハンスメント（ｃｏｖｅｒａｇｅ  ｅｎｈａｎｃｅｍｅｎｔ、ＣＥ）は検討の一つの焦点である。ＭＴＣのカバレッジを拡大することにより、それをより多くの場面で適用できる。ＭＴＣカバレッジを拡大する技術は既に提案されており、該技術では、送信しようとするデータをある時間帯内で複数回繰返し送信することで、データ送信の信頼性を向上させ、さらにＭＴＣカバレッジを拡大する。しかしながら、データを複数回繰返し送信することにより、不可避な余分な電力消費が起こされ、スペクトル効率も低減されてしまう。データの繰返し送信回数が増加することに伴い、この問題はより深刻になる。
【発明の概要】
【課題を解決するための手段】
【０００４】
本発明による一つの実施例によれば、データ送信方法を提供する。当該データ送信方法は、第一の変調方式でデータを変調して第一のシンボルストリームを生成する工程と、前記第一のシンボルストリームを、それぞれ第一の変調方式より低い変調次数を有する変調方式で変調される所定数の第二のシンボルストリームに分解する工程と、前記所定数の第二のシンボルストリームに対して処理を行って符号分割多重されたデータストリームを生成する工程と、符号分割多重されたデータストリームに対して処理を行って処理後のデータストリームを送信する工程を含む。
【０００５】
本発明による他の一つの実施例によれば、データ受信方法を提供する。当該データ受信方法は、データを受信し、受信された前記データに対して処理を行って符号分割多重されたデータストリームを取得する工程と、前記符号分割多重されたデータストリームに対して処理を行って所定数の第一のシンボルストリームを生成する工程と、前記所定数の第一のシンボルストリームを組合せて、各第一のシンボルストリームの変調方式より高い変調次数を有する変調方式で変調される第二のシンボルストリームになる工程と、前記第二のシンボルストリームを復調して復調されたデータストリームを生成する工程を含む。
【０００６】
本発明による別の一つの実施例によれば、データ送信装置を提供する。当該データ送信装置は、第一の変調方式でデータを変調して第一のシンボルストリームを生成するように配置される変調装置と、前記第一のシンボルストリームを、それぞれ第一の変調方式より低い変調次数を有する変調方式で変調される所定数の第二のシンボルストリームに分解するように配置される分解装置と、前記所定数の第二のシンボルストリームに対して処理を行って符号分割多重されたデータストリームを生成するように配置される処理装置と、符号分割多重されたデータストリームに対して処理を行って、処理後のデータストリームを送信するように配置される通信装置を備える。
【０００７】
本発明による別の一つの実施例によれば、データ受信装置を提供する。当該データ受信装置は、データを受信し、受信された前記データに対して処理を行って符号分割多重されたデータストリームを取得するように配置される通信装置と、前記符号分割多重されたデータストリームに対して処理を行って所定数の第一のシンボルストリームを生成するように配置される処理装置と、前記所定数の第一のシンボルストリームを組合せて、各第一のシンボルストリームの変調方式より高い変調次数を有する変調方式で変調される第二のシンボルストリームになるように配置される組合せ装置と、前記第二のシンボルストリームを復調して、復調されたデータストリームを生成するように配置される復調装置を備える。
【０００８】
本発明による上記実施例の方法及び装置を利用すれば、高次変調方式で変調されるシンボルストリームを低次変調方式で変調される複数のシンボルストリームに分解することができ、その後符号分割多重方式を使用して前記複数のシンボルストリームを送信することによって、データ送信の信頼性を向上させ、さらに繰返し送信回数を低減することができる。
【図面の簡単な説明】
【０００９】
添付図面を参照しながら本発明の実施例について詳細に説明することによって、この発明の上記及びその他目的、特徴、および利点はより明白となろう。ここで、
【図１Ａ】本発明の実施例を適用できるマシンタイプ通信(ＭＴＣ)システムの例を示す。
【図１Ｂ】本発明の実施例を適用できるマシンタイプ通信(ＭＴＣ)システムの例を示す。
【図２】本発明の実施例によるデータ送信方法のフローチャートを示す。
【図３】第二のシンボルストリームから繰返しシンボルストリームを生成する模式図を示す。
【図４】繰返しユニットがシンボルであるときに取得した複数の符号分割多重レイヤーのデータストリームの例を示す。
【図５】繰返しユニットがサブフレームであるときに取得した複数の符号分割多重レイヤーのデータストリームの例を示す。
【図６Ａ】ＰＤＣＣＨによって符号分割多重を行うかを指示するための指示ビットを送信する方法の模式図を示す。
【図６Ｂ】ＰＤＣＣＨによって符号分割多重を行うかを指示するための指示ビットを送信する方法の模式図を示す。
【図７】本発明の実施例によるデータ受信方法のフローチャートを示す。
【図８】本発明の実施例によるデータ送信装置のブロック図を示す。
【図９】本発明の実施例によるデータ受信装置のブロック図を示す。
【発明を実施するための形態】
【００１０】
以下、図面を参照して本発明の実施例を説明する。図面において、同じ参照符号はいつも同じ部品を示す。ここで説明する実施例は記述的なものに過ぎず、本発明の範囲を制限すると解釈すべきでないことは、理解すべきであろう。
【００１１】
まず、図１Ａと図１Ｂを参照し、本発明の実施例を適用できるＭＴＣシステムの例を説明する。
【００１２】
図１Ａに示すＭＴＣシステムの例は、ＭＴＣサーバー（又は基地局）と、ＭＴＣユーザー装置（ＵＥ）とを備え、ＭＴＣサーバーは、通信オペレーターが制御するドメイン内に位置するとともに、オペレーターにより提供される無線ネットワーク又はその他ネットワークを介してＵＥと通信する。図１Ｂに示すＭＴＣシステムの例はＭＴＣサーバーとＵＥを備え、ＭＴＣサーバーは、通信オペレーターが制御するドメイン外に位置するとともに、オペレーターにより提供される無線ネットワーク又はその他ネットワークを介してＵＥと通信する。具体的には、ＵＥは、前記ネットワークを介してＭＴＣサーバーへ物理上りリンク共有チャネル（ＰＵＳＣＨ）を送信することができ、並びにＭＴＣサーバーから物理下りリンク共有チャネル（ＰＤＳＣＨ）を受信することができる。理解すべきは、図１Ａと図１Ｂに示すＭＴＣサーバーとＵＥの数は模式的なものであり、必要に応じてより多くのＭＴＣサーバー並びにより多く又はより少なくのＵＥを備えてもよい。
【００１３】
以下、図２を参照し、本発明の実施例によるデータ送信方法を説明する。当該方法はＵＥにより実行されてもよいし、ＭＴＣサーバーにより実行されてもよい。以下、当該方法がＵＥにより実行されることを例として本発明の実施例を説明するが、この説明を適切に調整すればＭＴＣサーバーにも適用できる。
【００１４】
図２を参照し、ステップＳ２０１において、第一の変調方式で前記データを変調して第一のシンボルストリームを生成することできる。ここで、前記データは、送信しようとするＭＴＣサービングデータをスクランブルすることで得られたデータであってもよいし、その他のデータであってもよい。
【００１５】
前記第一の変調方式は高次変調方式、例えば変調次数が２より大きい変調方式であってもよく、かつ、例えばＱＰＳＫ、１６ＱＡＭ又は６４ＱＡＭなどであってもよい。ＭＴＣサーバーとＵＥとの間のチャネル品質に応じて前記第一の変調方式を選択することができる。例えば、チャネル品質の良い場合、比較的に高次の変調方式、例えば１６ＱＡＭ又は６４ＱＡＭを選択することができる一方、チャネル品質の悪い場合、比較的に低次の変調方式、例えばＱＰＳＫを選択することができる。前記第一の変調方式として、実際の必要又はその他の要因に応じて適切な変調方式を選択してもよい。第一の変調方式の選択は、ＵＥによって実行してからＭＴＣサーバーに通知してもよいし、ＭＴＣサーバーによって実行してからＵＥに通知してもよい。代わりに、ＭＴＣサーバーとＵＥにおいて第一の変調方式を予め設定してもよい。
【００１６】
ステップＳ２０２において、第一のシンボルストリームを所定数の第二のシンボルストリームに分解できる。各第二のシンボルストリームは、第一の変調方式より低い変調次数を有する変調方式で変調されたものである。言い換えると、高次変調の一つのシンボルストリーム（第一のシンボルストリーム）を低次変調の複数のシンボルストリーム（第二のシンボルストリーム）に分解することができる。以下、説明の便宜上、Ｎ（Ｎ＞１）で前記所定数を表現する。
【００１７】
第一の変調方式の変調次数及び/又は設計要件に応じて前記所定数Ｎを決定することができる。Ｎは第一の変調方式の変調次数以下である。例えば、第一の変調方式が１６ＱＡＭの場合、その変調次数が４であるため、Ｎは２又は４であってもよい。第一の変調方式が６４ＱＡＭの場合、その変調次数が６であるため、Ｎは３又は２であってもよい。ＭＴＣサーバーによってＮを決定し、無線リソース制御（ＲＲＣ）シグナリングのような準静的シグナリング又はその他のシグナリングによってＮを指示する情報をＵＥに送信することで、ＵＥがＲＲＣシグナリングによって当該Ｎを指示する情報を受信するようにしてもよい。代わりに、ＵＥによってＮを決定するとともに、それを適切なシグナリングによってＭＴＣサーバーに通知してもよい。
【００１８】
また、第一の変調方式の変調次数とＮ及び/又はその他の要因に応じて各第二のシンボルストリームの変調方式を決定することができる。簡単に言うと、各第二のシンボルストリームの変調方式の変調次数の和は、第一の変調方式の変調次数と等しい。各第二のシンボルストリームの変調方式は同じでもよい。例えば、第一の変調方式が１６ＱＡＭで、Ｎが２の場合、各第二のシンボルストリームの変調方式をＱＰＳＫと決定することで、第一のシンボルストリームである１６ＱＡＭシンボルストリームを第二のシンボルストリームである２つのＱＰＳＫシンボルストリームに分解してもよく、各第二のシンボルストリームの変調方式をＢＰＳＫと決定することで、第一のシンボルストリームである１６ＱＡＭシンボルストリームを第二のシンボルストリームである４つのＢＰＳＫシンボルストリームに分解してもよい。第一の変調方式は６４ＱＡＭで、Ｎが３の場合、各第二のシンボルストリームの変調方式をＱＰＳＫと決定することで、第一のシンボルストリームである６４ＱＡＭシンボルストリームを第二のシンボルストリームである３つのＱＰＳＫシンボルストリームに分解してもよい。代わりに、各第二のシンボルストリームの変調方式は異なってもよい。例えば、第一の変調方式は６４ＱＡＭで、Ｎが２の場合、一つの第二のシンボルストリームの変調方式をＱＰＳＫと決定し、他の一つの第二のシンボルストリームの変調方式を１６ＱＡＭと決定することで、第一のシンボルストリームである６４ＱＡＭシンボルストリームを第二のシンボルストリームである一つのＱＰＳＫシンボルストリーム及び一つの１６ＱＡＭシンボルストリームに分解してもよい。ＭＴＣサーバーによって各第二のシンボルストリームの変調方式を決定し、かつ、ＲＲＣシグナリングのような様々なシグナリングによってそれをＵＥに通知することができる。ＵＥによって各第二のシンボルストリームの変調方式を決定し、かつ、シグナリングによってそれをＭＴＣサーバーに通知することもできる。
【００１９】
ＵＥは、前記所定数Ｎと各第二のシンボルストリームの変調方式に応じて第一のシンボルストリームの分解を行うことができる。例えば、第一のシンボルストリームとしての１６ＱＡＭシンボルストリームを第二のシンボルストリームとしての２つのＱＰＳＫシンボルストリームに分解する場合、１６ＱＡＭシンボルストリームの各シンボルは４ビットに対応し、かつＱＰＳＫシンボルストリームの各シンボルは２ビットに対応するため、１６ＱＡＭシンボルストリームの全てのビットを抽出するまで、１６ＱＡＭシンボルストリームの４ビットごとの前の２ビットを一番目のＱＰＳＫシンボルストリームの２ビットとして抽出し、また、当該４ビットにおける後ろの２ビットを二番目のＱＰＳＫシンボルストリームの２ビットとして抽出してもよい。第一のシンボルストリームとしての６４ＱＡＭシンボルストリームを一つのＱＰＳＫシンボルストリーム及び一つの１６ＱＡＭシンボルストリームに分解する場合、６４ＱＡＭシンボルストリームの各シンボルは６ビットに対応し、一方、ＱＰＳＫシンボルストリームの各シンボルは２ビットに対応し、１６ＱＡＭシンボルストリームの各シンボルは４ビットに対応するため、６４ＱＡＭシンボルストリームの全てのビットを抽出するまで、６４ＱＡＭシンボルストリームの６ビットごとの前の２ビットをＱＰＳＫシンボルストリームの２ビットとして抽出し、また、当該６ビットにおける後ろの４ビットを１６ＱＡＭシンボルストリームの４ビットとして抽出してもよい。勿論、この場合、６４ＱＡＭシンボルストリームの全てのビットを抽出するまで、６４ＱＡＭシンボルストリームの６ビットごとの前の４ビットを１６ＱＰＳＫシンボルストリームの４ビットとして抽出し、また、当該６ビットにおける後ろの２ビットをＱＰＳＫシンボルストリームの２ビットとして抽出してもよい。
【００２０】
各第二のシンボルストリームの総送信電力と第一のシンボルストリームの送信電力が同じとなるように、各第二のシンボルストリームに送信電力を割当ることができ、各第二のシンボルストリームの送信電力は同じでもよく、異なってもよい。例えば、１６ＱＡＭシンボルストリームを２つのＱＰＳＫシンボルストリームに分解する場合、各ＱＰＳＫシンボルストリームの送信電力は同じで、それぞれ１６ＱＡＭシンボルストリームの送信電力の半分となってよい。６４ＱＡＭシンボルストリームを一つのＱＰＳＫシンボルストリーム及び一つの１６ＱＡＭシンボルストリームに分解する場合、ＱＰＳＫシンボルストリームの送信電力は、１６ＱＡＭシンボルストリームの送信電力と同じであるとともに、６４ＱＡＭシンボルストリームの送信電力の半分となってもよいし、或いは、１６ＱＡＭシンボルストリームの送信電力の半分であるとともに、両方の和が６４ＱＡＭシンボルストリームの送信電力と等しくてもよい。場合によっては、各第二のシンボルストリームの総送信電力は第一のシンボルストリームの送信電力と等しくなくてもよい。
【００２１】
図２を参照し、ステップＳ２０３では、Ｎ個の第二のシンボルストリームに対して処理を行って符号分割多重のデータストリームを生成することができる。各第二のシンボルストリームは、符号分割多重の一つのレイヤーに対応する。
【００２２】
本実施例では、前記処理は繰返し及び符号分割多重を含むことができる。簡単に言うと、Ｎ個の第二のシンボルストリームをそれぞれ所定ユニット単位で所定回数分だけ繰返すことで、Ｎ個の繰返しシンボルストリームを生成することができる。その後、このようなＮ個の繰返しシンボルストリームに対して符号分割多重を行って前記符号分割多重されたデータストリームを生成することができる。
【００２３】
具体的には、まず、各第二のシンボルストリームをそれぞれ所定ユニット単位で所定回数分だけ繰返すことで、対応する一つの繰返しシンボルストリームを生成することができる。以下、前記所定ユニットは所定の繰返しユニットと呼んでもよいし、前記所定回数は所定の繰返し回数と呼んでもよい。前記所定の繰返し回数をＮＲと仮定すると、各繰返しシンボルストリームにおいて、ＮＲ個の所定の繰返しユニットにより一つの繰返しグループを形成する。前記所定の繰返しユニットはシンボルであってもよい。すなわち、各第二のシンボルストリームについて、シンボル単位で繰返しを行う。前記所定の繰返しユニットはサブフレームであってもよい。すなわち、各第二のシンボルストリームについて、サブフレーム単位で繰返しを行う。例として、前記所定の繰返しユニットがシンボルであり、かつＮＲが３の場合、各第二のシンボルストリームについて、それの各シンボルを３回分繰返しすることで、対応する一つの繰返しシンボルストリームを形成することができる。ここで、当該繰返しシンボルストリームの各繰返しグループには３つのシンボルが含まれる。図３は当該例を示す。図３に示すように、第二のシンボルストリームＡ１，Ａ２，・・・ＡＭについて、対応する繰返しシンボルストリームはＡ１，Ａ１，Ａ１，Ａ２，Ａ２，Ａ２，・・・ＡＭ，ＡＭ，ＡＭであり、すなわち、各シンボルが３回ずつ繰返されて一つの繰返しグループを形成する。他の例として、前記所定の繰返しユニットはサブフレームであり、かつＮＲが５の場合、各第二のシンボルストリームについて、各サブフレームに対応するシンボルを５回分繰返しすることで、対応する繰返しシンボルストリームを形成することができる。ここで、当該繰返しシンボルストリームの一つの繰返しグループには５つのサブフレームが含まれる。サブフレーム単位で繰返しを行うことに対し、シンボル単位で行う場合には比較的に少ないシンボルを記憶すれば済むので、比較的に小さいバッファ長が必要となる。本実施例では、ＭＴＣサーバーによって前記所定の繰返しユニット及び/又は前記所定の繰返し回数を決定してＵＥに通知することができる。例えば、実際の必要又はその他の要因に応じて前記所定の繰返しユニットを決定するとともに、実際の必要又はその他の要因（例えば実現したい信頼性又はカバレッジ）に応じて前記所定の繰返し回数を決定することができる。その後、ＭＴＣサーバーは、ＲＲＣシグナリングのような準静的シグナリング又はその他のシグナリングによって前記所定の繰返しユニットを指示する情報及び/又は前記所定の繰返し回数を指示する情報をＵＥに通知することができる。代わりに、ＵＥによって前記所定の繰返しユニット及び/又は前記所定の繰返し回数を決定し、シグナリングによってＭＴＣサーバーに通知することもできる。あるいは、ＭＴＣサーバーとＵＥにおいて前記所定の繰返しユニット及び/又は前記所定の繰返し回数を予め設定してもよい。
【００２４】
Ｎ個の繰返しシンボルストリームを取得した後、このＮ個の繰返しシンボルストリームに対して符号分割多重を行って前記符号分割多重されたデータストリームを生成することができる。
【００２５】
具体的には、各繰返しシンボルストリームにおける繰返しグループ内の各繰返しユニットに対応する拡散系列を乗算して、対応する符号分割多重レイヤーのデータストリームを生成することができる。例えば、下記式（１）に従って、各繰返しシンボルストリームにおける繰返しグループ内の各繰返しユニットに対応する拡散系列を決定することができる。
【数１】
2018524847.tif 000003
当該Ｎ個の繰返しシンボルストリームについて、上記式（１）を利用して以下の拡散系列行列を決定することができる。
【数２】
2018524847.tif 000004
【００２６】
すると、例えば、一番目の繰返しシンボルストリームの各繰返しグループ内における各繰返しユニットに、それぞれ上記行列における第一行の対応する拡散系列を乗算することで、第一符号分割多重レイヤーのデータストリームを生成することができ、二番目の繰返しシンボルストリームの各繰返しグループ内における各繰返しユニットに、それぞれ上記行列における第二行の対応する拡散系列を乗算することで、第二符号分割多重レイヤーのデータストリームを生成することができる。三番目以降も同様である。図４は繰返しユニットがシンボルであり、かつＮＲが６の場合に取得した複数の符号分割多重レイヤーのデータストリームの例を示す。図５は繰返しユニットがサブフレームであり、かつＮＲが３の場合に取得した複数の符号分割多重レイヤーのデータストリームの例を示し、当該例にはホッピングが適用された。
【００２７】
その後、このように取得したＮ個の符号分割多重レイヤーのデータストリームを加算して、前記符号分割多重されたデータストリームを生成することができる。
【００２８】
引き続き図２を参照すると、ステップＳ２０４において、符号分割多重されたデータストリームに対して処理を行って、処理後のデータストリームを送信する。実際の必要に応じてしようとする処理を選択することができる。例えば、前記処理には、符号分割多重されたデータストリームをリソースユニットにマッピングするリソースユニットマッピング処理及び/又は送信のためのシングルキャリア周波数分割多元接続（ＳＣ−ＦＤＭＡ）信号を生成する処理を含むことができる。必要な場合、前記処理にはその他種類の処理を含むこともできる。勿論、符号分割多重されたデータストリームに対して上記処理をすることなく、当該符号分割多重されたデータストリームを直接送信してもよい。
【００２９】
上記方法によって、高次変調方式で変調されるシンボルストリームを低次変調方式で変調される複数のシンボルストリームに変換し、そして符号分割多重の方式を使用して前記複数のシンボルストリームを送信することができる。低次変調されるシンボルストリームは高次変調されるシンボルストリームより信頼性が高く、かつ符号分割多重の際に直交拡散系列によって直交性が導入されるため、データ送信の信頼性を向上させ、それに繰返し送信回数を低減してカバレッジを拡大することができる。
【００３０】
本実施例では、ＵＥはＭＴＣサーバーからの通知に応じて第一のシンボルストリームに対して上記ステップＳ２０２〜Ｓ２０４の操作を実行するかを決定することができる。前記通知は、明示的なものでもよいし、暗黙的なものでもよい。明示的に通知する場合、ＭＴＣサーバーはＵＥへ符号分割多重を行うかを指示する情報を送信することができる。ＵＥは、符号分割多重を行うことを指示する情報を受信したときに上記操作を実行し、符号分割多重を行わないことを指示する情報を受信したときに上記操作を実行しないようにすることができる。例えば、符号分割多重を行うかを指示する情報を物理下りリンク制御チャネル（ＰＤＣＣＨ）に含むことができる。具体的には、前記情報をＰＤＣＣＨの下りリンク制御情報（ＤＣＩ）（例えばＤＣＩフォーマット０、ＵＬグラント）に含むことができる。この場合、図６Ａに示すように、レガシーＤＣＩに符号分割多重を行うかを指示するための指示ビット（例えば１ビット）を追加してもよいし、図６Ｂに示すように、ＤＣＩにおける無駄なビット（例えば送信電力制御ビット）を前記指示ビットに置き換えてもよい。暗黙的に通知する場合、ＭＴＣサーバーは前記符号分割多重を行うかを指示する情報を送信せず、ＭＴＣサーバーからＵＥへ送信する変調及び符号化方式（ＭＣＳ）インデックスを利用して符号分割多重を行うかを通知する。具体的には、ＭＣＳインデックスと変調次数とが対応付けられているため、ＵＥは、当該インデックスに応じて採用すべき変調次数を決定し、さらに当該変調次数に応じて上記ステップＳ２０２〜Ｓ２０４の操作を実行するかを決定することができる。例えば、ＵＥは、当該ＭＣＳインデックスに対応する変調次数がある数値（例えば２）より大きい場合上記ステップＳ２０２〜Ｓ２０４の操作を行うが、逆の場合上記ステップＳ２０２〜Ｓ２０４の操作を行わないと決定することができる。上記操作を行わない場合、第一のシンボルストリームに対してリソースユニットマッピング処理及び/又はＳＣ−ＦＤＭＡ信号の生成などのような処理を実行し、これによって生成したデータストリームを送信することができる。
【００３１】
以上、ＵＥにより前記データ送信方法を実行することを背景として本発明の実施例を説明した。しかしながら、前記通り、前記方法はＭＴＣサーバーにより実行されてもよい。ＵＥへ送信しようとするデータが存在する場合、ＭＴＣサーバーは図２を参照して説明した方式と同じ説明に従って送信しようとするデータに対して処理を行うことで、符号分割多重されたデータストリームを生成し、また、当該符号分割多重されたデータストリームに対して処理を行ってから処理後のデータストリームを送信することができる。この場合、ＵＥは対応するデータ受信方法を実行して、受信したデータからＭＴＣサーバーが送信したデータを復元する。
【００３２】
以下、図７を参照し、本発明の実施例によるデータ受信方法を説明する。ここで、当該受信方法がＵＥにより実行されることを例として説明する。しかしながら、同様に、当該方法はＭＴＣサーバーによって実行されてもよい。この場合、適切に調整した後、ＵＥについての説明はＭＴＣサーバーにも適用できる。
【００３３】
図７に示すように、ステップＳ７０１において、前記データを受信するとともに、受信したデータに対して処理を行って、符号分割多重されたデータストリームを取得することができる。前記処理は、ステップＳ２０４で実行する処理に対応する逆処理であってもよく、例えばＯＦＤＭ復調又はリソースユニットデマッピングなどを含むことができる。ステップＳ２０４において処理を実行することなく、符号分割多重されたデータストリームを直接送信すると、ステップＳ７０１において、処理せずに受信したデータをそのまま符号分割多重されたデータストリームとしてもよい。
【００３４】
ここで、ＵＥは、ＭＴＣサーバーからの通知に応じて受信したデータが符号分割多重されたビットストリームに由来するものかを決定することで、後述の各ステップを実行すべきかを決定することができる。前記通知は明示的なものでもよいし、暗黙的なものでもよい。明示的に通知する場合、ＭＴＣサーバーからＵＥへ符号分割多重を行ったかを指示する情報を送信して、ＵＥが、符号分割多重を行ったことを指示する情報を受信した場合には、受信したデータが符号分割多重されたビットストリームに由来するものと決定し、さらに後述のステップを実行すると決定するようにし、一方、符号分割多重を行ってないことを指示する情報を受信した場合には、後述の各ステップを実行しないようにすることができる。前記通り、符号分割多重を行ったかを指示する情報をＰＤＣＣＨに含むことができる。例えば、符号分割多重を行ったかを指示する情報をＰＤＣＣＨのＤＣＩ（例えばＤＣＩフォーマット１Ａ、ＤＬグラント）に含むことができる。暗黙的に通知する場合、ＵＥは、ＭＴＣサーバーから通知したＭＣＳインデックスに応じて、受信したデータが符号分割多重されたビットストリームに由来するものかを決定することができる。例えば、当該ＭＣＳインデックスに対応する変調次数がある数値（例えば２）より大きい場合、ＵＥは、受信したデータが符号分割多重されたビットストリームに由来するものと決定することができる。受信したデータが符号分割多重されたビットストリームに由来するものではない場合、ＵＥは、レガシー方式に従って当該データに対して処理を行うことができる。
【００３５】
ステップＳ７０２において、前記符号分割多重されたデータストリームに対して処理を行って、所定数のシンボルストリーム（説明の便宜上、以下、第三のシンボルストリームと呼ぶ）を生成することができる。ここで、前記所定数をやはりＮと表現する。簡単に言うと、前記符号分割多重されたデータストリームに対して逆多重化を行って、Ｎ個の逆多重化データストリームを生成することができる。その後、前記Ｎ個の逆多重化データストリームのそれぞれから、所定ユニット（所定の繰返しユニット）として所定回数（所定の繰返し回数，ＮＲ）分繰返されたシンボルストリームをＮ個の第三のシンボルストリームとして抽出することができる。前記通り、ＵＥはＲＲＣシグナリングによって基地局からＮを指示する情報及びＮＲを指示する情報を受信することができる。また、前述の方式に従って前記所定ユニットを取得することができる。前記通り、前記所定ユニットはシンボル又はサブフレームであってもよい。
【００３６】
具体的には、まず、前記符号分割多重されたデータストリームに対して逆多重化を行って、Ｎ個の逆多重化データストリームを生成することができる。例えば、前記符号分割多重されたビットストリームのそれぞれに前述の方式に従って生成した拡散系列（すなわち前記行列における各拡散系列）を乗算することで、Ｎ個の逆多重化ビットストリームを生成することができる。
【００３７】
その後、各逆多重化データストリームから、所定の繰返しユニットとしてＮＲ回分繰返されたシンボルストリームを、それぞれ対応する一つの第三のシンボルストリームとして抽出することができる。具体的には、各逆多重化データストリームがあるシンボルストリームを前記繰返しユニット単位でＮＲ回分繰返して得られるものであることは既知であるため、繰返されるデータを除去ように、当該繰返しの逆処理を実行して前記シンボルストリームを抽出することができる。例えば、当該逆多重化データストリームにおけるＮＲ個ごとの繰返しユニット（一つの繰返しグループに対応する）のデータを抽出することができる。その後、当該繰返しグループのデータがＮＲに対して平均を取ることで、当該繰返しグループの基本ユニットとなるデータを決定し、その後、各繰返しグループの基本ユニットのデータを組合せることで、一つのシンボルストリーム、すなわち当該逆多重化データストリームに対応する第三のシンボルストリームを取得することができる。
【００３８】
引き続き図７を参照すると、ステップＳ７０３において、Ｎ個の第三のシンボルストリームを組合せて第四のシンボルストリームとなる。前記第四のシンボルストリームは、各第三のシンボルストリームの変調方式より高い変調次数を有する変調方式で変調されたものである。言い換えると、Ｎ個の低次変調のシンボルストリームを組合せて一つの高次変調のシンボルストリームとなる。
【００３９】
具体的には、各第三のシンボルストリームの変調方式及び第四のシンボルストリームの変調方式に応じて上記組合せの操作を行うことができる。ＵＥは、図２について説明した前記方式に従って、各第三のシンボルストリームの変調方式及び第四のシンボルストリームの変調方式を取得することができるため、ここではその説明を省略する。例として、２つの第三のシンボルストリームが存在し、それらの変調方式がＱＰＳＫ、かつ第四のシンボルストリームの変調方式が１６ＱＡＭの場合、一番目のＱＰＳＫシンボルストリームから前の２ビットを抽出し、そして二番目のＱＰＳＫシンボルストリームから前の２ビットを抽出し、これらの４ビットを組合せて第四のシンボルストリームの一番目のシンボルのビットとすることができる。その後、一番目のＱＰＳＫシンボルストリームから第３-４のビットを抽出し、そして二番目のＱＰＳＫシンボルストリームから第３-４のビットを抽出し、それらの４ビットを組合せて第四のシンボルストリームの二番目のシンボルのビットとし、その結果、一番目のＱＰＳＫシンボルストリームと二番目のＱＰＳＫシンボルストリームの全てのビットを抽出するまで、このような操作を繰り返す。
【００４０】
その後、ステップＳ７０４では、前記第四のシンボルストリームを復調して、復調されたデータストリームを生成することができる。前記復調されたデータについて、必要であれば、デスクランブリング等の処理を行うことで、ＭＴＣサーバーから送信したデータを復元することもできる。
【００４１】
［変形例１］
上記の通り、ＭＴＣシステムを背景として本発明の実施例によるデータ送信方法及びデータ受信方法を説明した。理解すべきは、これは一例に過ぎず、当該データ送信方法及びデータ受信方法は非ＭＴＣシステム（この場合、ＭＴＣサーバーは基地局に置き換えられる）にも適用できる。当該変形例１において、ステップＳ２０２とステップＳ７０３の操作は若干違うが、他のステップはそのままでよい。具体的には、この場合、上記データに対して繰返し操作（送信）を行う操作及び繰返しデータを除去（受信）する操作を実行しなくてよい。以下、前記の相違点について説明し、同じ内容の説明を省略する。
【００４２】
具体的には、データを送信するとき、非ＭＴＣシステムについて、ステップＳ２０３においてＮ個の第二のシンボルストリームに対して処理を行って符号分割多重のデータストリームを生成する場合、前記処理に、符号分割多重を含み、データに対して繰返しを行う操作を含まなくてよい。この場合、Ｎ個の第二のシンボルストリームに対して符号分割多重を行って、前記符号分割多重されたデータストリームを生成することができる。例えば、Ｎ個の第二のシンボルストリームのそれぞれに互いに直交する拡散系列を乗算してＮ個の符号系列を生成し、その後前記Ｎ個の符号系列を組合せて前記符号分割多重されたデータストリームを生成することができる。
【００４３】
データを受信するとき、非ＭＴＣシステムについて、ステップＳ７０２において前記符号分割多重されたデータストリームに対して処理を行ってＮ個のシンボルストリームを生成する場合、前記処理に逆多重化操作を含み、上記繰返しデータの除去操作を含まなくてよい。すなわち、前記符号分割多重されたデータストリームに対して逆多重化を行うことで、Ｎ個のシンボルストリームを直接取得することができる。同様に、前記符号分割多重されたデータに前記拡散系列を乗算することで、Ｎ個のシンボルストリームを生成することができる。
【００４４】
以下、図８を参照して本発明の実施例によるデータ送信装置を説明する。当該データ送信装置は前記のデータ送信方法を実行できる。また、当該データ送信装置はＵＥの中にあってもよいし、ＭＴＣサーバー或いは基地局の中にあってもよい。以下、当該データ送信装置がＵＥの中にあることとして説明する。また、当該データ送信装置が実行する操作は前記のデータ送信方法とほぼ同じであるため、重複しないようここで同じ内容の説明を省略する。これらの同じ内容については、上記説明を参照すればよい。
【００４５】
図８に示すように、データ送信装置８００は、変調装置８０１、分解装置８０２、処理装置８０３と通信装置８０４を備え、通信装置８０４はＭＴＣサーバーと通信することで、後述の様々な情報及び/又はデータストリームを受信/送信することができる。
【００４６】
変調装置８０１は、第一の変調方式で前記データを変調して第一のシンボルストリームを生成することができる。ここで、前記データは、送信しようとするＭＴＣサービングデータに対してスクランブルを行って得られるデータであってもよい。この場合、データ送信装置８００においてスクランブル装置（図示せず）を設置することができる。勿論、前記データは、その他の種類のデータであってもよい。また、前記第一の変調方式は高次変調方式、例えば変調次数が２より大きい変調方式であってもよく、かつ、例えばＱＰＳＫ、１６ＱＡＭあるいは６４ＱＡＭなどであってもよい。第一の変調方式の選択は、データ送信装置８００（具体的には、変調装置８０１）によって実行されてから通信装置８０４を介してＭＴＣサーバーに通知されてもよいし、ＭＴＣサーバーによって実行されてからデータ送信装置８００に通知されてもよい。代わりに、ＭＴＣサーバーとＵＥにおいて第一の変調方式を予め設定してもよい。
【００４７】
分解装置８０２は、第一のシンボルストリームを所定数（Ｎ）の第二のシンボルストリームに分解することができる。各第二のシンボルストリームは、第一の変調方式より低い変調次数を有する変調方式で変調されたものである。
【００４８】
前記した方式に従ってＮを決定することができる。また、ＭＴＣサーバーによってＮを決定し、そしてＲＲＣシグナリングのような準静的シグナリング又はその他のシグナリングによってＮを指示する情報をデータ送信装置８００に送信することで、データ送信装置８００（具体的には、通信装置８０４）にＲＲＣシグナリングによって当該Ｎを指示する情報を受信させることができる。代わりに、データ送信装置８００によってＮを決定し、そしてそれを適切なシグナリングによってＭＴＣサーバーに通知することができる。また、前記した方式に従って各第二のシンボルストリームの変調方式を決定することができる。ここで、各第二のシンボルストリームの変調方式は同じでもよいし、異なってもよい。ＭＴＣサーバーによって各第二のシンボルストリームの変調方式を決定し、ＲＲＣシグナリングのような様々なシグナリングによってデータ送信装置８００に通知することができる。データ送信装置８００（具体的には、分解装置８０２）によって各第二のシンボルストリームの変調方式を決定し、シグナリングによってＭＴＣサーバーに通知することもできる。
【００４９】
分解装置８０２は、前記所定数Ｎ及び各第二のシンボルストリームの変調方式に応じて第一のシンボルストリームの分解を行うことができる。例えば、分解装置８０２は、上記図２を参照して説明した方式で該分解を行うことができる。ここで、説明の便宜上、その詳細な説明を省略する。
【００５０】
処理装置８０３は、Ｎ個の第二のシンボルストリームに対して処理を行って、符号分割多重されたデータストリームを生成することができる。各第二のシンボルストリームは符号分割多重の一レイヤーに対応する。本実施例では、前記処理には繰返し及び符号分割多重を含むことができる。簡単に言うと、処理装置８０３は、Ｎ個の第二のシンボルストリームに対してそれぞれ所定ユニット単位で所定回数分繰返して、Ｎ個の繰返しシンボルストリームを生成することができる。その後、これらのＮ個の繰返しシンボルストリームに対して符号分割多重を行って、前記符号分割多重されたデータストリームを生成することができる。
【００５１】
具体的には、処理装置８０３は、各第二のシンボルストリームについて、それぞれ所定ユニット（すなわち、所定の繰返しユニット）単位で所定回数（すなわち、所定の繰返し回数ＮＲ）分繰返して、対応する一つの繰返しシンボルストリームを生成することができる。前記所定の繰返しユニットは、シンボルであってもよいし、サブフレームであってもよい。各繰返しシンボルストリームにおいて、ＮＲ個の繰返しユニットにより一つの繰返しグループを形成する。前記通り、ＭＴＣサーバーによって前記所定の繰返しユニット及び/又は前記所定の繰返し回数ＮＲを決定し、さらにＲＲＣシグナリングのような準静的シグナリングあるいは他のシグナリングによって前記所定の繰返しユニットを指示する情報及び/又は前記所定の繰返し回数を指示する情報をデータ送信装置８００に通知し、よってデータ送信装置８００（具体的には、通信装置８０４）が前記シグナリングによって前記所定の繰返しユニットを指示する情報及び/又は前記所定の繰返し回数を指示する情報を受信することができる。代わりに、データ送信装置８００（具体的には、処理装置８０３）によって前記所定の繰返しユニット及び/又は前記所定の繰返し回数を決定し、さらにシグナリングによってＭＴＣサーバーに通知することができる。あるいは、ＭＴＣサーバーとデータ送信装置８００において前記所定の繰返しユニット及び/又は前記所定の繰返し回数を予め設定してもよい。
【００５２】
Ｎ個の繰返しシンボルストリームを取得した後、処理装置８０３は、これらのＮ個の繰返しシンボルストリームに対して符号分割多重を行って、前記符号分割多重されたデータストリームを生成することができる。具体的には、処理装置８０３は、各繰返しシンボルストリームにおける繰返しグループ内の各繰返しユニットに、対応する拡散系列を乗算することで、対応する符号分割多重レイヤーのデータストリームを生成し、その後各符号分割多重レイヤーのデータストリームを組合せることで、前記符号分割多重されたデータストリームを生成することができる。前記した方式に従って各繰返しシンボルストリームにおける繰返しグループ内の各繰返しユニットに対応する拡散系列を決定することができ、重複しないようここでその詳細な説明を省略する。
【００５３】
通信装置８０４はＭＴＣサーバーと通信して情報/データを送信/受信することができる。例えば、通信装置８０４は、前記第一の変調方式を指示する情報及び各第二のシンボルストリームの変調方式を指示する情報を受信することができる。通信装置８０４は、ＲＲＣシグナリングあるいはその他のシグナリングによって前記所定数Ｎを指示する情報及び/又は前記繰返し回数ＮＲを指示する情報を受信することもできる。
【００５４】
また、通信装置８０４は、符号分割多重されたデータストリームに対して処理を行って、処理後のデータストリームを送信することもできる。実際の必要に応じて、しようとする処理、例えばリソースユニットマッピング処理及び/又はＳＣ−ＦＤＭＡ信号の生成処理などを選択することができる。この場合、通信装置８０４において対応する部（図示せず）を設置してこれらの処理を実行することができる。
【００５５】
また、前記通り、データ送信装置８００（具体的には、その中の各装置）は、ＭＴＣサーバーからの通知に応じて第一のシンボルストリームに対して上記操作を実行するかを決定することができる。前記通知は明示的なものでもよいし、暗黙的なものでもよい。明示的に通知する場合、ＭＴＣサーバーは、データ送信装置８００へ符号分割多重を行うかを指示する情報を送信することができる。この場合、通信装置８０４は、前記符号分割多重を行うかを指示する情報を受信することができる。データ送信装置８００は、符号分割多重を行うことを指示する情報を受信した場合、上記操作を実行し、一方、符号分割多重を行わないことを指示する情報を受信した場合、上記操作を実行しないことができる。前記通り、符号分割多重を行うかを指示する情報をＰＤＣＣＨに含むことができる。具体的には、前記情報をＰＤＣＣＨのＤＣＩ（例えばＤＣＩフォーマット０、ＵＬグラント）に含むことができる。暗黙的に通知する場合、データ送信装置８００は、前記通り、ＭＴＣサーバーからＵＥへ送信されるＭＣＳインデックスを利用して、符号分割多重を行うかを通知することができる。
【００５６】
上記送信装置では、高次変調方式で変調されるシンボルストリームを低次変調方式で変調される複数のシンボルストリームに変換し、その後符号分割多重方式を使用して前記複数のシンボルストリームを送信することができる。低次変調のシンボルストリームは高次変調のシンボルストリームより信頼性が高く、かつ符号分割多重の際に直交拡散系列によって直交性が導入されるため、データ送信の信頼性を向上させ、繰返し送信回数を低減することができる。
【００５７】
前記通り、ＭＴＣサーバーは、図２を参照して説明したデータ送信方法を実行して、送信しようとするデータを処理し、符号分割多重されたデータストリームを生成し、さらに当該符号分割多重されたデータストリームに対して処理を行ってから処理後のデータストリームを送信することができる。この場合、ＵＥの中にデータ受信装置を設置して、受信したデータからＭＴＣサーバーにより送信されたデータを復元することができる。
【００５８】
以下、図９を参照して本発明の実施例によるデータ受信装置を説明する。ここで、当該受信装置がＵＥにあることを例として説明する。しかしながら、当該データ受信装置を適切に調整した後、ＭＴＣサーバーにも適用できる。
【００５９】
図９に示すように、データ受信装置９００は通信装置９０１、処理装置９０２、組合せ装置９０３と復調装置９０４を備える。
【００６０】
通信装置９０１は、前記データを受信し、受信したデータに対して処理を行うことで、符号分割多重されたデータストリームを取得することができる。前記処理にはＯＦＤＭ復調又はリソースユニットデマッピングなどを含むことができる。この場合、通信装置９０１において対応する部（図示せず）を設置してこれらの処理を実行することができる。
【００６１】
また、前記通り、データ受信装置９００は、ＭＴＣサーバーからの通知に応じて受信したデータが符号分割多重されたビットストリームに由来するものかを決定することで、後述の各操作を実行すべきかを決定することができる。前記通知は明示的なものでもよいし、暗黙的なものでもよい。明示的に通知する場合、ＭＴＣサーバーは、ＵＥ（具体的には、データ受信装置９００）へ符号分割多重を行ったかを指示する情報を送信することができる。通信装置９０１は、当該情報を受信できる。データ受信装置９００は、符号分割多重を行ったことを指示する情報を受信した場合、受信したデータが符号分割多重されたビットストリームに由来したものと決定することで、後述する操作を実行すると決定し、一方、符号分割多重を行っていないことを指示する情報を受信した場合、後述する操作を実行しないことができる。前記通り、符号分割多重を行ったかを指示する情報をＰＤＣＣＨに含むことができる。例えば、符号分割多重を行ったかを指示する情報をＰＤＣＣＨのＤＣＩ（例えばＤＣＩフォーマット１Ａ、ＤＬグラント）に含むことができる。暗黙的に通知する場合、データ受信装置９００は、前記した方式に従って、ＭＴＣサーバーから通知されたＭＣＳインデックスに応じて、受信したデータが符号分割多重されたビットストリームに由来するものかを決定することができる。
【００６２】
処理装置９０２は、前記符号分割多重されたデータストリームに対して処理を行って、所定数（Ｎ）の第三のシンボルストリームを生成することができる。簡単に言うと、処理装置９０２は、前記符号分割多重されたデータストリームに対して逆多重化を行ってＮ個の逆多重化データストリームを生成し、その後前記Ｎ個の逆多重化データストリームのそれぞれから、所定ユニット（所定の繰返しユニット）毎に所定回数（所定の繰返し回数、ＮＲ）分繰返されたシンボルストリームをＮ個の第三のシンボルストリームとして抽出することができる。前記通り、データ受信装置９００（具体的には、通信装置９０１）は、ＲＲＣシグナリングによって基地局からＮを指示する情報及びＮＲを指示する情報を受信することができる。また、データ受信装置９００は、前記した方式で前記所定ユニットを分かることができる。前記通り、前記所定ユニットは、シンボル又はサブフレームであってもよい。
【００６３】
具体的には、処理装置９０２は前記符号分割多重されたデータストリームに対して逆多重化を行って、Ｎ個の逆多重化データストリームを生成することができる。例えば、前記符号分割多重されたビットストリームのそれぞれに前記方式に従って生成した拡散系列（すなわち、前記行列における各拡散系列）を乗算することで、Ｎ個の逆多重化ビットストリームを生成することができる。その後、処理装置９０２は、上記の図７を参照して説明した方式に従って、各逆多重化データストリームのそれぞれから、所定の繰返しユニットとしてＮＲ回分繰返されたシンボルストリームを対応する一つの第三のシンボルストリームとして抽出することができる。例えば、処理装置９０２は、当該逆多重化データストリームにおけるＮＲ個ごとの繰返しユニット（一つの繰返しグループに対応する）のデータを抽出し、当該繰返しグループのデータをＮＲに対して平均を取って当該繰返しグループの基本ユニットとしてのデータを決定し、その後各繰返しグループの基本ユニットのデータを組合せることで、一つのシンボルストリーム、すなわち当該逆多重化データストリームに対応する第三のシンボルストリームを取得することができる。
【００６４】
組合せ装置９０３は、Ｎ個の第三のシンボルストリームを組合せて第四のシンボルストリームとすることができる。ここで、前記第四のシンボルストリームは、各第三のシンボルストリームの変調方式より高い変調次数を有する変調方式で変調されたものである。言い換えると、Ｎ個の低次変調のシンボルストリームを組合せて一つの高次変調のシンボルストリームになる。具体的には、組合せ装置９０３は、前記した方式に従って、各第三のシンボルストリームの変調方式及び第四のシンボルストリームの変調方式に応じて上記組合せ操作を行うことができる。
【００６５】
復調装置９０４は、前記第四のシンボルストリームを復調して、復調されたデータストリームを生成することができる。必要であれば、前記復調されたデータについて、デスクランブリングなどの処理を行うことでＭＴＣサーバーから送信されたデータを復元することができる。この場合、復調装置９０４の中に対応する部（図示せず）を設置して前記処理を実行することができる。
【００６６】
［変形例２］
同様に、ＭＴＣシステムを背景として説明した上記データ送信装置及びデータ受信装置は非ＭＴＣシステムにも適用できる。この変形例２において、上記データ送信装置の処理装置８０３とデータ受信装置の処理装置９０２が実行する操作が若干違うが、その他の装置はそのままでよい。以下、相違点のみについて説明し、同じ内容の説明を省略する。
【００６７】
データ送信装置について、処理装置８０３がＮ個の第二のシンボルストリームに対して処理を行って符号分割多重されたデータストリームを生成する場合、前記処理に符号分割多重を含み、データに対して繰返しする操作を含まなくてよい。この場合、処理装置８０３はＮ個の第二のシンボルストリームに対して符号分割多重を行って前記符号分割多重されたデータストリームを生成することができる。
【００６８】
データ受信装置について、処理装置９０２は前記符号分割多重されたデータストリームに対して処理を行ってＮ個のシンボルストリームを生成する場合、前記処理に逆多重化操作を含み、上記繰返しデータの除去操作を含まなくてよい。すなわち、処理装置９０２は、前記符号分割多重されたデータストリームに対して逆多重化を行って、Ｎ個のシンボルストリームを直接取得することができる。
【００６９】
上記で本発明の実施例を説明したが、理解すべきは、これらの説明は一例に過ぎず、制限するものではない。例えば、上記で「第一」、「第二」、「第三」及び「第四」などの番号を採用したが、理解すべきは、これらの番号は対応する対象を区別するためのものに過ぎず、これらの対象自身又はその順番を制限するものではない。必要に応じて、その他の方式に従って各対象に番号を付けてもよい。
【００７０】
本発明の実施例を示して説明したが、当業者であれば、請求の範囲及びその同等物により限定される本発明の範囲と趣旨を逸脱しない限り、これらの実施例に対して形式と詳細における様々な変更が可能であることは、理解すべきであろう。
【図１Ａ】
2018524847.tif 000005
【図１Ｂ】
2018524847.tif 000006
【図２】
2018524847.tif 000007
【図３】
2018524847.tif 000008
【図４】
2018524847.tif 000009
【図５】
2018524847.tif 000010
【図６Ａ】
2018524847.tif 000011
【図６Ｂ】
2018524847.tif 000012
【図７】
2018524847.tif 000013
【図８】
2018524847.tif 000014
【図９】
2018524847.tif 000015
【国際調査報告】
2018524847.tif 000016
2018524847.tif 000017
2018524847.tif 000018
2018524847.tif 000019
2018524847.tif 000020
2018524847.tif 000021
2018524847.tif 000022